(57)【要約】【課題】１回の取り出し操作において複数個の固形状内容物を取り出すことが可能となり、また、大量の固形状内容物が不意に取り出されるのを防止できるとともに、ケース内におけるブロッキング現象が抑制され、固形状内容物を安定して小出しで取り出すことが可能なカード型ケースを提供する。【解決手段】ヒンジキャップ５が、固形状内容物８を収容して所望の数で取り出すことが可能なポケット部５２を有しており、上蓋部２又は下蓋部３の内、ヒンジキャップ５が備えられた何れか一方の蓋部の内面に、固形状内容物８の姿勢を変更して開口部４へ導出するための姿勢変更手段６が備えられている。【選択図】図１
0003139744.tif 000002
【実用新案登録請求の範囲】
【請求項１】
上蓋部及び下蓋部の各蓋部が一体に組み付けられてカード状のケースをなし、前記ケースの側壁には一部分が切り欠かれてなる開口部が設けられており、前記開口部に、ヒンジ機構によって回動自在とされ前記開口部に対して開閉可能なヒンジキャップが備えられることにより、内部に収容された固形状内容物が取り出し可能とされたカード型ケースであって、
前記ヒンジキャップは、前記固形状内容物を収容して所望の数で取り出すことが可能なポケット部を有しており、
前記上蓋部又は下蓋部の内、前記ヒンジキャップが備えられた何れか一方の蓋部の内面に、前記固形状内容物の姿勢を変更して前記開口部へ導出するための姿勢変更手段が備えられていることを特徴とするカード型ケース。
【請求項２】
前記姿勢変更手段は、前記上蓋部又は下蓋部の内の何れか一方の内面において、前記開口部に連なって形成される少なくとも一以上の凹状段差部からなることを特徴とする請求項１に記載のカード型ケース。
【請求項３】
前記姿勢変更手段は、前記上蓋部又は下蓋部の内の何れか一方の内面において、前記開口部に対してそれぞれ並行に連なって形成される複数の凹状段差部からなり、
前記ヒンジキャップには、前記ポケット部が、前記複数の凹状段差部に対応するように複数備えられており、
前記複数の凹状段差部から前記複数のポケット部に向けて、前記固形状内容物が複数導出可能とされていることを特徴とする請求項２に記載のカード型ケース。
【請求項４】
前記上蓋部又は下蓋部の各蓋部の内、前記凹状段差部からなる姿勢変更手段が備えられる一方の蓋部と組み合わせられる他方の蓋部の内面において、前記一方の蓋部に備えられる凹状段差部に対応するように、凸状段差部が備えられていることを特徴とする請求項２又は３に記載のカード型ケース。
【請求項５】
前記ヒンジキャップには、該ヒンジキャップを開放状態とした際に前記ポケット部の前記開口部側に突設されてなり、前記固形状内容物が前記ポケット部に向かうのを停止させるストッパが備えられていることを特徴とする請求項１〜４の何れか１項に記載のカード型ケース。
【請求項６】
前記上蓋部と下蓋部とが、アンダーカット嵌合によって一体に組み付けられることを特徴とする請求項１〜５の何れか１項に記載のカード型ケース。
【考案の詳細な説明】
【技術分野】
【０００１】
本考案は、例えば錠剤や清涼用粒状物等の固形状内容物を収納し、小出しで使用するために用いられるカード型ケースに関するものである。
【背景技術】
【０００２】
従来から、錠剤や清涼用粒状物あるいは口臭抑制剤等の固形物を収容して、小出しで使用するための携帯型のケースとしては、例えば、ケース本体に設けた小出し用の孔をスライド自在の蓋によって開閉するようにしたものが知られている。
また、近年では、樹脂製の上蓋部と下蓋部とを、各蓋部に設けられた凹凸のボスで嵌合されたものや、あるいは、各蓋部の周縁においてアンダーカット嵌合されてなり、矩形型でカード状とされた薄型のカード型ケースが提案されている。
【０００３】
このようなカード型ケースとして、該カード型ケースの開口部に対応する位置において、上蓋部及び下蓋部の少なくとも何れか一方にヒンジキャップが設けられて開閉可能とされ、このヒンジキャップが、前記開口部を閉止する状態で嵌合突起によって固定可能な構成とされたものが提案されている（例えば、特許文献１、２を参照）。特許文献１及び特許文献２に記載のカード型ケースによれば、使用者がケース内から固形状内容物を取り出す際、ケースを手で振るかあるいは傾けることによって固形状内容物を小出しで取り出すことが可能であるとともに、携帯用に適した小型で薄型形状のデザインとされている。
【０００４】
しかしながら、特許文献１及び特許文献２に記載の従来のカード型ケースでは、上記操作で使用者が固形状内容物を取り出す場合、通常、１回の操作で１個ずつ取り出す形態となり、例えば、固形状内容物を複数取り出す場合には、複数回の取り出し操作が必要となっていた。また、ケースを必要以上に振った場合には、固形状内容物を１個だけ取り出したいのにも関わらず複数個で出てくることがあり、余分な固形状内容物をケース内に戻す等、操作が煩わしいものとなっていた。また、固形状内容物を取り出す際、ケース内において複数の固形状内容物同士がブロッキング現象を起こし、取出しが困難になる等の問題があった。
【特許文献１】特開２００５−４７６２６号公報
【特許文献２】特開２００５−１８７０７７号公報
【考案の開示】
【考案が解決しようとする課題】
【０００５】
本考案は上記問題に鑑みてなされたものであり、１回の取り出し操作において複数個の固形状内容物を取り出すことが可能となり、また、大量の固形状内容物が不意に取り出されるのを防止できるとともに、ケース内におけるブロッキング現象が抑制され、固形状内容物を安定して小出しで取り出すことが可能なカード型ケースを提供することを目的とする。
【課題を解決するための手段】
【０００６】
本考案者等は、上記問題を解決するために鋭意研究したところ、カード型ケースをなす各蓋部の何れか一方に、固形状内容物の姿勢を変化させるための姿勢変化手段を設けることにより、１回の操作で複数個の内容物の取り出しが可能になるとともに、ケース内におけるブロッキング現象を抑制でき、使用性に優れるカード型ケースが得られることを見出し、本考案を完成した。
【０００７】
本考案は、上蓋部及び下蓋部の各蓋部が一体に組み付けられてカード状のケースをなし、前記ケースの側壁には一部分が切り欠かれてなる開口部が設けられており、前記開口部に、ヒンジ機構によって回動自在とされ前記開口部に対して開閉可能なヒンジキャップが備えられることにより、内部に収容された固形状内容物が取り出し可能とされたカード型ケースであって、前記ヒンジキャップは、前記固形状内容物を収容して所望の数で取り出すことが可能なポケット部を有しており、前記上蓋部又は下蓋部の内、前記ヒンジキャップが備えられた何れか一方の蓋部の内面に、前記固形状内容物の姿勢を変更して前記開口部へ導出するための姿勢変更手段が備えられていることを特徴とするカード型ケースを提供する。
【０００８】
また、本考案のカード型ケースは、前記姿勢変更手段が、前記上蓋部又は下蓋部の内の何れか一方の内面において、前記開口部に連なって形成される少なくとも一以上の凹状段差部からなる構成とすることができる。
また、本考案のカード型ケースは、前記姿勢変更手段が、前記上蓋部又は下蓋部の内の何れか一方の内面において、前記開口部に対してそれぞれ並行に連なって形成される複数の凹状段差部からなり、前記ヒンジキャップには、前記ポケット部が、前記複数の凹状段差部に対応するように複数備えられており、前記複数の凹状段差部から前記複数のポケット部に向けて、前記固形状内容物が複数導出可能とされた構成とすることができる。
また、本考案のカード型ケースは、前記上蓋部又は下蓋部の各蓋部の内、前記凹状段差部からなる姿勢変更手段が備えられる一方の蓋部と組み合わせられる他方の蓋部の内面において、前記一方の蓋部に備えられる凹状段差部に対応するように、凸状段差部が備えられた構成とすることができる。
また、本考案のカード型ケースは、前記ヒンジキャップにおいて、該ヒンジキャップを開放状態とした際に前記ポケット部の前記開口部側に突設されてなり、前記固形状内容物が前記ポケット部に向かうのを停止させるストッパが備えられている構成とすることができる。
また、本考案のカード型ケースは、前記上蓋部と下蓋部とが、アンダーカット嵌合によって一体に組み付けられる構成とすることができる。
【考案の効果】
【０００９】
本考案のカード型ケースによれば、ヒンジキャップが固形状内容物を収容して所望の数で取り出すことが可能なポケット部を有しており、ヒンジキャップが備えられた何れか一方の蓋部の内面に、固形状内容物の姿勢を変更して開口部へ導出するための姿勢変更手段が備えられた構成とされているので、１回の取り出し操作において複数個の固形状内容物を所定の数量で取り出すことが可能となり、また、大量の固形状内容物が不意に取り出されるのを防止できるとともに、ケース内におけるブロッキング現象が抑制される。これにより、ケース内に収容された固形状内容物を、安定して小出しで取り出すことが可能となり、使用性に優れたカード型ケースが得られる。
【考案を実施するための最良の形態】
【００１０】
以下、本考案の一実施形態であるカード型ケースについて、図１〜図４を適宜参照しながら説明する。図１（ａ）は、本考案の実施形態を示す全体斜視図、図１（ｂ）は、図１（ａ）のカード型ケースの内部構造を示す部分破断図、図２は、図１（ａ）、（ｂ）に示すヒンジキャップの部分の拡大斜視図、図３（ａ）は、ヒンジキャップを閉めた状態を示す部分断面図、図３（ｂ）は、ヒンジキャップを開けた状態を示す部分断面図、図４は、カード型ケースの上蓋部の内面に凸状段差部を設けた例を示す斜視図である。
なお、本考案は、図示例のような形態に限定されるものではなく、本考案の範囲内において適宜変更して採用することが可能なものである。
【００１１】
図１（ａ）、（ｂ）に示すように、本実施形態のカード型ケース１は、上蓋部（ケース）２及び下蓋部（ケース）３からなる各蓋部が一体に組み付けられてカード状のケースをなし、上蓋部２及び下蓋部３の側壁２２、３２には少なくとも互いに向かい合う一部分が切り欠かれてなる開口部４が設けられており、上蓋部２又は下蓋部３の少なくとも何れか一方、図示例においては下蓋部３に、ヒンジ機構５１によって回動自在とされ開口部４に対して開閉可能なヒンジキャップ５が備えられることにより、内部に収容された固形状内容物８が取り出し可能とされ、ヒンジキャップ５は、固形状内容物８を収容して所望の数で取り出すことが可能なポケット部５２を有しており、上蓋部２又は下蓋部３の内、ヒンジキャップ５が備えられる蓋部の内面、図示例では下蓋部３の内面３１ｂ（図１（ｂ）参照）に、固形状内容物８の姿勢を変更して開口部４へ導出するための姿勢変更段差部（姿勢変更手段）６が備えられ、概略構成される。
【００１２】
なお、本考案において説明する固形状内容物８とは、例えば、一般的な錠剤の他、粒状ガムや清涼用粒状物、あるいは口臭抑制剤等の小型粒状の固形物であり、必要に応じてカード型ケース内から小出しで取り出して使用されるものである。
【００１３】
図１に示すように、本実施形態のカード型ケース１は、上蓋部２と下蓋部３とが組み付けられ、各蓋部の周縁部において嵌合手段によって一体化固定され、図示例のような、例えば名刺大のカード状のケースを構成する。
上蓋部２及び下蓋部３は、ともに平面視矩形状の薄いトレイ状の部材で略同形に構成され、例えば、ポリプロピレンやポリエチレン、あるいはポリスチレン等の熱可塑性樹脂を用いて、所定形状に成形することによって得られる。また、詳細な図示を省略するが、上蓋部２と下蓋部３とは、各蓋部の内面周縁部に設けられる嵌合リブと嵌合溝部とがアンダーカット嵌合するにより、カード型ケース１の内部が露出するようなことがなく、また、上蓋部２と下蓋部３との間でずれや外れ等が生じ難いように、強固に一体化固定される。
【００１４】
また、上蓋部２の蓋板２１の周縁に備えられる長辺の側壁２２の一部には、切欠部２２ａが形成されており、下蓋部３に備えられる長辺の側壁３２の一部には、上蓋部２に備えられる切欠部２２ａに対応する位置で切欠部３２ａが形成されている。これにより、上蓋部２と下蓋部３とが組み付けられた際、切欠部２２ａと切欠部３３ａとが組み合わされることで、カード型ケース１の長辺の側壁１２に開口部４が形成される。また、上蓋部２及び下蓋部３に形成される各々の切欠部２２ａ、３３ａは、側壁２２、２３から、それぞれの蓋板２１、３１の周縁部までの位置が切り欠かれるように形成されている。
また、図示例においては、使用者がカード型ケース１を手指で操作する際の使用性を考慮し、切欠部２３、３３は、各長辺の側壁２２、３２において、一方の短辺の側壁２３、３３に片寄った位置で形成されている。
【００１５】
上蓋部２に備えられる長辺の側壁２２、２２及び短辺の側壁２３、２３は、図示例においては、切欠部２２ａの部分を除き、内面及び外面が断面略円弧状に形成されている。また、一方の側壁２２に形成された切欠部２２ａは、上蓋部２の平面視で凹字型状とされており、蓋板２１における切欠部２２ａの部分が段差板２１ｆとして形成されている。
【００１６】
また、上蓋部２の内面周縁部には、図示略の嵌合リブを設け、下蓋部３の内面周縁部に設けられる図示略の溝部と嵌合することにより、アンダーカット嵌合によって一体化固定される。また、本実施形態では、上蓋部と下蓋部との嵌合形態については、アンダーカット嵌合には限定されず、例えば、上蓋部及び下蓋部に凹凸のボスを設け、これらを嵌合させる構成とすることも可能である。
【００１７】
下蓋部３に備えられる長辺の側壁３２、３２及び短辺の側壁３３、３３は、上蓋部２に備えられる各側壁と同様、図示例においては、切欠部３２ａ並びに後述のヒンジキャップ５の部分を除き、内面及び外面が断面略円弧状に形成されている。また、一方の側壁３２に形成された切欠部３２ａも、上蓋部２に設けられる切欠部２２ａと同様に平面視で凹字型状とされている。また、切欠部３２ａの両側方には、下蓋部３の内面３１ｂから突設されたガイド壁３１ｃ、３１ｄが備えられており、図示例では、短辺の側壁３３、３３と並行に、切欠部３２ａ、２２ａからなる開口部４の略高さ位置まで延設されている。
【００１８】
また、下蓋部３には、長辺の側壁３２において、上述した切欠部３２ａに対応した位置で、ヒンジキャップ５が、折り曲げ可能に薄肉とされたヒンジ機構５１を介して下蓋部３と一体に形成されている。また、ヒンジキャップ５は、図２に示す拡大図のように、内面側に略半円状の凹部からなるポケット部５２が備えられており、該切欠部３２ａ及び上蓋部２に設けられる切欠部２２ａとから形成される開口部４を塞ぐことが可能な大きさで形成されている。また、ヒンジキャップ５は開閉自在に設けられ、該ヒンジキャップ５の両側面５３、５４に設けられた突起片５３ａ、５４ａが、下蓋部３の内面３１ｂに突設されたガイド壁３１ｃ、３１ｄに形成される係合部３１ｅ（ガイド壁３１ｄに形成される係合部は図示を省略）に嵌合固定され、開口部４を塞ぐ構成とされている（図３（ａ）も参照）。
【００１９】
係合部３１ｅは、ガイド壁３１ｃ、３１ｄに形成される溝部であり、図２の部分拡大図に詳細を示すように、このガイド壁３１ｃ、３１ｄは、突起片５３ａ、５４ａと略同幅とされており、ヒンジキャップ５がヒンジ機構５を中心に回動する際の突起の軌道上に設けられている。これにより、突起片５３ａ、５４ａが、ガイド溝３１ｇ、３１ｈを通過してガイド壁３１ｃ、３１ｄに乗り上げた後に係合部３１ｅに入り込みむので、ヒンジキャップ５が開口部４を塞いだ状態で係止される。なお、この際の、係合部３１ｅと突起片５３ａ、５４ａの間隙を極小寸法とすることにより、ヒンジキャップがぐらついたりすることがなく、且つ、軽い力で操作感良く開閉操作を行うことが可能になる。なお、上述したように、ガイド壁３１ｄに形成される係合部については、図示を省略する。
【００２０】
本実施形態のヒンジキャップ５は、図２の部分拡大図に詳細を示すように、ポケット部５２が複数の収容部を有しており、図示例では、２枚の仕切板５５ａ、５５ｂによってポケット部５２ａ、５２ｂ、５２ｃに３分割されている。そして、ポケット部５２から連続するように、ヒンジキャップ５の内面上方に凸壁５６が突設されており、ヒンジキャップ５を閉じた際、凸壁５６が上蓋部２に設けられた段差板２１ｆの下側に入り込み、凸壁５６の上側のヒンジキャップ５の内面が段差板２１ｆの端面に当接するように構成されている。これにより、ヒンジキャップ５を閉じた際、ヒンジキャップ５と上蓋部２との間に、カード型ケース１の内部が露出するような隙間が生じることがない。なお、図示例の段差板２１ｆは、上述のように上蓋部２の内面側に設けられ、図２に示すように、上蓋部２の上面２１ａから連続する部分が滑らかな曲面状とされている。
【００２１】
ヒンジキャップ５において、下蓋部３と連結される薄肉のヒンジ機構５１は、ヒンジキャップ５を閉じた状態とした際、図３（ａ）の部分断面図に示すような構造を有している。図示例のヒンジキャップ５は、上述したように、内面上方に凸壁５６が設けられているが、さらにその上方の段差板２１ｆは、蓋板２１の上面２１ａから僅かに段差を持たせた構成とされている。これにより、ヒンジキャップ５の開封操作を行う際に、段差板２１ｆを屈曲させながらキャップ先端部５７に指を引っ掛け、ヒンジキャップ５を容易に回動させることが可能となる。
【００２２】
また、本実施形態のヒンジキャップ５には、図２に示すように、ポケット部５２から、該ポケット５２を介して凸壁５６と反対側から連続するように、ヒンジキャップ５の内面上方に、詳細を後述するストッパ５８が突設されている。そして、図３（ａ）に示すように、ヒンジキャップ５を閉じた際には、ストッパ５８が、蓋部３の内面３１ｂに設けられた逃げ代３１ｆに入り込むように構成されている。
【００２３】
また、ヒンジキャップ５は、図１（ａ）、（ｂ）に示す例においては、内面及び外面が略半円をなす断面円弧状とされているので、上蓋部２と下蓋部３とが一体に組み立てられた際、カード型ケース１の側壁１２と略同様の統一された外観となるように構成されている。
【００２４】
なお、本実施形態のカード型ケース１に備えられるヒンジキャップ５は、図２に示す例のように、突起片５３ａ、５４ａの嵌合面を傾斜面とすることにより、ガイド壁３１ｃ、３１ｄに形成される係合部３１ｅに嵌合させる際、ガイド壁３１ｃ、３１ｄを乗り越え易いので、ヒンジキャップ５の開閉操作を適正な力で容易に行うことができる。また、カード型ケース１の使用にあたっては、上記嵌合構造によってヒンジキャップ５が不用意に開くことが防止され、ケース内から固形状内容物８を取り出す場合には、使用者が突起片５３ａ、５４ａと係合部３１ｅの嵌合状態を解除することによって開封することができる。
【００２５】
姿勢変更段差部６は、上述したように、ヒンジキャップ５が連結される下蓋部３の内面３１ｂに形成される凹状段差部からなり、図１（ｂ）に示す例では、それぞれ長さの異なる複数の姿勢変更段差部６１、６２、６３が並行に形成されている。また、これら姿勢変更段差部６１、６２、６３は、その出口端部６１ｃ、６２ｃ、６３ｃが、内面３１ｂに設けられた逃げ代３１ｆを介して、切欠部３３、つまり開口部４に連なるように形成されており、３列の姿勢変更段差部６１、６２、６３の幅方向（側壁３２の長さ方向）の寸法が、切欠部３３の幅方向と略同程度の寸法とされている。
【００２６】
姿勢変更段差部６１、６２、６３の長さ方向の寸法は、図１（ｂ）に示す例においては、姿勢変更段差部６１が最も大きな寸法Ｌ１とされ、次いで姿勢変更段差部６２の寸法Ｌ２、姿勢変更段差部６３の寸法Ｌ３の順となっている。また、これら各寸法Ｌ１、Ｌ２、Ｌ３は、カード型ケース１に収容される固形状内容物８のサイズに応じて適宜決定され、例えば、姿勢変更段差部６１を、固形状内容物８が直列に概略３個収容できる程度の寸法Ｌ１とし、姿勢変更段差部６２を、固形状内容物８が直列に概略２個収容できる程度の寸法Ｌ２、姿勢変更段差部６３を、固形状内容物８が１個収容できる程度の寸法Ｌ３とすることができる。
【００２７】
また、姿勢変化制御部６１、６２、６３の各々の幅方向の寸法Ｗとしては、例えば、固形状内容物８のサイズに応じ、固形状内容物８が概略１個収容できる程度の寸法Ｗとして、姿勢変化制御部６１、６２、６３をそれぞれ幅方向同寸とすることができる。
また、姿勢変化制御部６１、６２、６３の深さ方向の寸法としても、固形状内容物８のサイズに応じ、この固形状内容物８の下部を収容してケース内における動きをガイドできる程度の深さ寸法とすれば良い。
【００２８】
姿勢変更段差部６１、６２、６３は、上記構成により、カード型ケース１内においてランダムに複数収容される固形状内容物８が、凹状の段差部とされた姿勢変更段差部６１、６２、６３に入り込むことで姿勢が変化され、整列状態に制御される。これにより、例えば、カード型ケース１内部から固形状収容物８を取り出す際、ケース内において固形状収容物８のブロッキング現象が生じるのが抑制され、効率良く小出しで取り出すことが可能となる。
【００２９】
また、本実施形態では、上述のような３列の姿勢変更段差部６１、６２、６３によって収容され、姿勢の制御された各々の固形状収容物８が、各出口端部６１ｃ、６２ｃ、６３ｃに安定して導かれることにより、切欠部３３からなる開口部４から安定して導出することが可能となる。
また、上述のように、各姿勢変更段差部６１、６２、６３の長さ方向の寸法Ｌ１、Ｌ２、Ｌ３を、固形状内容物８の寸法に合わせて適宜異なる寸法とすることにより、導出する固形状内容物８を列毎で速やかに切り出し、より安定した状態で各姿勢変更段差部６１、６２、６３に整列させることが可能となる。
【００３０】
また、本実施形態のカード型ケース１においては、詳細を後述するが、３列の姿勢変更段差部６１、６２、６３に対応する位置で、３箇所のポケット部５２ａ、５２ｂ、５２ｃがそれぞれ設けられており、各姿勢変更段差部６１、６２、６３から導出される固形状収容物８が、各ポケット部５２ａ、５２ｂ、５２ｃに１個ずつ収容されるような構成とされている。
【００３１】
以下に、本実施形態のカード型ケース１から固形状収容物８を小出しで取り出す際の操作の一例について、図１〜３を用いて説明する。この際、詳細な図示を省略するが、カード型ケース１の内部は、丸型で錠剤状の固形状収容物８が充填された状態とされており、また、ヒンジキャップ５は閉じられた状態とされているものとする。
【００３２】
まず、使用者は、まず、ヒンジキャップ５の位置を若干下向きとしながら、内部の固形状内容物８をかき混ぜるようにカード型ケース１を振る。この際、カード型ケース１の内部は複数の固形状内容物８が攪拌された状態となるが、このような攪拌状態の中で、各姿勢変更段差部６１、６２、６３に固形状内容物８が入り込み、姿勢が制御されて整列された状態となる（図１（ｂ）及び図３（ａ）を参照）。
次に、姿勢変更段差部６１、６２、６３がガイドレールのように機能することにより、整列状態で３列の姿勢変更段差部６１、６２、６３に各々収容された固形状内容物８が、開口部４の方向へ導かれる。そして、図３（ａ）の部分断面図に示すように、固形状内容物８がヒンジキャップ５に設けられたポケット部５２に、固形状内容物８の径方向で半分程度が入り込んだ状態となる。この際、３列の姿勢変更段差部６１、６２、６３から各ポケット部５２ａ、５２ｂ、５２ｃに対して、固形状内容物８が各々１個ずつ導かれ、ポケット部５２に計３個の固形状内容物８が収容された状態となる。
【００３３】
そして、使用者がヒンジキャップ５を開封すると、図３（ｂ）の部分断面図に示すように、ポケット部５２ａ、５２ｂ、５２ｃに収容された固形状内容物８（計３個）が、ケース外に露出した状態となる。使用者は、このような状態において、各ポケット部５２ａ、５２ｂ、５２ｃに収容された計３個の固形状内容物８を、指で摘むか、あるいは、カード型ケース１を傾けて排出させるようにして取り出すことが可能となる。なお、この際、図３（ｂ）に示すように、ポケット部５２には未だ収容されておらず姿勢変更段差部６において待機状態とされている固形状内容物８は、ストッパ５８によって係止された状態となるので、図３（ｂ）に示す状態でカード型ケース１を傾ける等した場合でも、固形状内容物８が開口部４から飛び出てポケット部５２に向かうことがない。
これにより、本実施形態のカード型ケース１は、固形状内容物８が必要以上に飛び出すようなことがなく、また、固形状内容物８がケース内でブロッキング等を生じることなく、固形状内容物８を、所定の個数で安定して小出しに取り出すことが可能となる。
【００３４】
なお、図１〜図３に示す例では、下蓋部３の内面３１ａに凹状段差部からなる姿勢変更段差部６が備えられた構成とされ、この姿勢変更段差部６によって固形状内容物８の姿勢制御が可能とされたカード型ケース１を用いて説明しているが、本考案のカード型ケースは、これには限定されない。例えば、姿勢変更段差部６（６１、６２、６３）が備えられる下蓋部３と組み合わせられる上蓋部の内面において、下蓋部３の凹状段差部からなる姿勢変更段差部６に対して凹凸形状で対応するように、凸状段差部が備えられた構成としても良い（図４の符号７６を参照）。図４に示す例の上蓋部７は、内面７１ａに凸状段差部７６（７６ａ、７６ｂ、７６ｃ）が備えられた構成とされている。このような蓋部７と、蓋部３（図１（ｂ）及び図２を参照）を一体に組み付けることにより、上蓋部７に備えられる凸状段差部７６と、下蓋部３に備えられる姿勢変更段差部６との間が、例えば、固形状内容物８を姿勢制御しながら整列できる程度の隙間を有して、凹凸形状で互いに組み合わせられた構成とすることが可能となる。
本実施形態のカード型ケースは、上記構成とすることにより、固形状内容物８の姿勢をより安定して制御することができ、姿勢変更段差部６内により確実に整列させることが可能となる。また、凸状段差部７６には、必要に応じて、固形状内容物８の姿勢をより安定して制御するための、図示略の切欠部等を形成しても良い。
【００３５】
また、本実施形態のカード型ケースにおいては、姿勢変更段差部６を三列とし、これに対応した位置で、ヒンジキャップ５に３箇所のポケットを設けることにより、１回の取り出し操作において３個の固形状内容物８を取り出すことができる構成を例に説明しているが、これには限定されない。例えば、下蓋部の内面に形成される姿勢変更段差部を２列とし、これに対応する位置でヒンジキャップに設けられるポケット部を２箇所とすることにより、１回の取り出し操作において２個の固形状内容物を取り出すことが可能な構成とすることも可能であり、また、１回の操作における取出し個数が１個となるように構成することも可能である。
【００３６】
また、本実施形態では、それぞれ長さ寸法が異なる姿勢変更段差部６１、６２、６３を例に挙げて説明しているが、これには限定されず、例えば、複数の姿勢変更段差部を全て同じ長さ寸法としても良く、適宜採用すれば良い。
【００３７】
また、本実施形態では、上蓋部２及び下蓋部３の内、下蓋部３にヒンジキャップ５及び姿勢変更段差部６の両方を設けた例を挙げて説明しているが、これには限定されない。例えば、カード型ケースの内部空間の厚み方向寸法を適正化することにより、ヒンジキャップと姿勢変更段差部を別々の蓋部に設けた構成としても良いし、このような構成とした場合にも、本実施形態のカード型ケース１と同様の効果が得られる。
【００３８】
また、本実施形態では、姿勢変更手段として、図１（ａ）等に示すような、下蓋部３の内面３１ｂに形成される段差からなる姿勢変更段差部６を例に挙げて説明しているが、これには限定されない。例えば、姿勢変更手段を、突出寸法の比較的小さな突起状のガイドレールから構成することも可能であり、適宜採用することが可能である。
【００３９】
上述のように、姿勢変更段差部やポケット部の数や位置、形状等は、ケース内に収容される固形状内容物の特性や、１回の操作で取り出す数量に合わせ、適宜採用することができる。
【００４０】
以上説明したように、本実施形態のカード型ケース１によれば、ヒンジキャップ５が固形状内容物８を収容して所望の数で取り出すことが可能なポケット部５２を有しており、ヒンジキャップ５が備えられた下蓋部３の内面３１ｂに、固形状内容物８の姿勢を変更して開口部４へ導出するための姿勢変更段差部６が備えられた構成とされているので、１回の取り出し操作において複数個の固形状内容物８を所定の数量で取り出すことが可能となり、また、大量の固形状内容物８が不意に取り出されるのを防止できるとともに、ケース内におけるブロッキング現象が抑制される。これにより、ケース内に収容された固形状内容物８を、安定して小出しで取り出すことが可能となり、使用性に優れたカード型ケース１が得られる。
【図面の簡単な説明】
【００４１】
【図１】本考案に係るカード型ケースの一例を示す模式図であり、（ａ）が全体斜視図、（ｂ）が内部構造を説明するための部分破断図である。
【図２】本考案に係るカード型ケースの一例を示す模式図であり、ヒンジキャップの部分を説明するための拡大斜視図である。
【図３】本考案に係るカード型ケースの一例を示す模式図で、内部から固形状内容物を取り出す際の操作を説明するための部分拡大断面図であり、（ａ）は、ヒンジキャップを閉めた状態を示す概略図、（ｂ）は、ヒンジキャップを開けた状態を示す概略図である。
【図４】本考案に係るカード型ケースの一例を示す模式図であり、上蓋部の内面に凸状段差部を設けた例を説明する斜視図である。
【符号の説明】
【００４２】
１…カード型ケース、２、７…上蓋部（ケース）、２１ｂ、７１ｂ…内面（上蓋部）、３…下蓋部（ケース）、３１ｂ…内面（下蓋部）、４…開口部、５…ヒンジキャップ、５１…ヒンジ機構、５２、５２ａ、５２ｂ、５２ｃ…ポケット部、５８…ストッパ、６、６１、６２、６３…姿勢変更手段（凹状段差部、姿勢変更段差部）、７６、７６ａ、７６ｂ、７６ｃ…凸状段差部、８…固形状内容物
【図１】
0003139744.tif 000003
【図２】
0003139744.tif 000004
【図３】
0003139744.tif 000005
【図４】
0003139744.tif 000006